(57)【要約】      （修正有）【課題】建物内に収容した複数の厨子に対して、一つの墓石を共用する堂内陵墓において、墓参者に心理的にその墓石が借り物のように思う気持ちを与えないようにする。【解決手段】正面に窓部１１を開けた墓石１０と、上記窓部に嵌め込まれることにより家名、家紋などを表示する銘板部分２１が窓部に露出する厨子からなり、上記厨子は任意選択されたものが搬送装置により保管場所から墓石まで搬送された後、着脱装置により墓石の窓部に択一的に嵌め込まれる堂内陵墓において、正面に扉５を設けたブースＢ内に墓石全体を収容し、厨子の着脱作業中は扉を閉じることにより外部から着脱作業を不可視とする。【選択図】図１
2010138596.tif 000002
【特許請求の範囲】
【請求項１】
正面に窓部を開けた墓石と、上記窓部に嵌め込まれることにより家名、家紋などを表示する銘板部分が窓部に露出する厨子からなり、上記厨子は任意選択されたものが搬送装置により保管場所から墓石まで搬送された後、着脱装置により墓石の窓部に択一的に嵌め込まれる堂内陵墓において、正面に扉を設けたブース内に墓石全体を収容し、厨子の着脱作業中は扉を閉じることにより外部から着脱作業を不可視としたことを特徴とする堂内陵墓。
【請求項２】
ブース内に照明装置を設けると共に、扉または／ブースの正面箇所と扉をスモーク処理またはフロスト処理を施した半透光性を有する素材で構成し、扉の開閉に伴い照明を調光する請求項１記載の堂内陵墓。
【請求項３】
断面弧状に構成したブースの正面箇所の両袖部分に固定パネルを残すと共に、上記固定パネルに挟まれた開口部分を両開きするスライド扉により開閉する構成とした請求項２記載の堂内陵墓。
【発明の詳細な説明】
【技術分野】
【０００１】
この発明は建物内に収容した複数の厨子に対して、一つの墓石を共用する堂内陵墓に関する。
【背景技術】
【０００２】
墓石毎に骨壺を収めた野外墓地に代わり、骨壺を収めた多数の厨子を建物内に収容し、墓参に際して任意選択された厨子を墓石まで自動的に搬送して墓石に組み込む堂内陵墓が公知である（例えば特許文献１〜３）。
【特許文献１】特公昭３９−１９４１７号公報
【特許文献２】特開昭５９−１９２１６５号公報
【特許文献３】特開平９−３１７２４７号公報
【発明の開示】
【発明が解決しようとする課題】
【０００３】
前記の公知技術によれば墓石を共用するので、墓地のコストを低減できる利点を有する。すなわち、個々の家々において墓地および墓石を個別に購入しなくて済むので、墓参に際しての利便性は高いが、地価の問題でいままで手が出にくかった都心部にも手軽な予算で墓を持つことが可能となる。
【０００４】
しかしながら、その反面、墓参に際して任意選択された厨子を墓石まで自動的に搬送して墓石に組み込むというその構造上、墓参者に心理的にその墓石が借り物のように思う気持ちを生じさせることは否めなかった。
【課題を解決するための手段】
【０００５】
この発明は以上の従来技術の問題点に鑑みて創作されたものであり、正面に窓部を開けた墓石と、上記窓部に嵌め込まれることにより家名、家紋などを表示する銘板部分が窓部に露出する厨子からなり、上記厨子は任意選択されたものが搬送装置により保管場所から墓石まで搬送された後、着脱装置により墓石の窓部に択一的に嵌め込まれる堂内陵墓において、正面に扉を設けたブース内に墓石全体を収容し、厨子の着脱作業中は扉を閉じることにより外部から着脱作業を不可視としたことを特徴とする。
【０００６】
また、ここでは第２発明として、前記第１発明においてブース内に照明装置を設けると共に、扉または／ブースの正面箇所と扉をスモーク処理またはフロスト処理を施した半透光性を有する素材で構成し、扉の開閉に伴い照明を調光する堂内陵墓も開示する。
【発明の効果】
【０００７】
この発明の陵墓によれば、搬送されてくる厨子を択一的に墓石に組み込むので、一つの墓石を複数の家々の墓参に共用することが可能となる。その結果、個々の家々において個別に墓地や墓石を購入しなくても済み、交通の利便性は高いが地価が高くいままで手が出なかった場所にも陵墓を持つことが可能となる。
【０００８】
一方、墓石はブース内に収容され、厨子を着脱する作業中は正面の扉が閉じられ、その様子を不可視とするので、墓参者に墓石を共用していることを意識させることがなく、あたかもその家専用の墓石であるかの印象を与える効果を得られる。
【０００９】
さらに、墓石はその全体がブース内に収容されるので、厨子の嵌め込み個所のみを扉で覆う場合と異なり、墓石のデザインが制約されることがなく、通常の墓石と同じ体裁のものを使用可能となる。
【００１０】
また、第２発明の場合は、扉の開閉に伴いブース内の照明が変化し、その様子は半透光性を有する正面個所および扉を介して窺い知ることができる。よって、墓参者には扉の開閉が光の変化と関連付けて意識され、扉の開閉が厨子の着脱作業と関連して行われるという意識をそらすことが可能となる効果を得られる。
【発明を実施するための最良の形態】
【００１１】
以下、この発明の具体的な実施の形態を添付図面に基づいて説明する。図１〜図５はこの発明の陵墓を示す図である。この発明の陵墓は墓石１０と、そこに択一的に着脱される厨子２０と、墓石全体が収容されるブースＢから構成される。
【００１２】
この実施例においては、墓石１０は石塔状の本体とその正面に配される香炉台１２と、両側に配される花立て１３、１３から構成されるものであり、本体の正面には厨子２０を墓石の背面から嵌め込むための窓部１１が設けられる。厨子２０は内部に骨壺を収容可能な容器状に構成され、正面には家名、家紋などを表示する銘板部分２１が設けられ、墓石１０に嵌め込んだ際にこの銘板部分２１が窓部に露出することとなる（図１参照）。なお、この実施例においては前記の各部材は石材により構成され、家名、家紋などは銘板部分２１に刻設される。
【００１３】
前記の厨子２０は建物内に多数収容されるが、ここでは建物内を循環するコンベア状の搬送装置（図示せず）に載置され、そこから任意選択された厨子が墓石１０の背面まで搬送され、進入路３０から墓石１０の窓部１１内に押し出されて嵌め込まれる（図３〜５参照）。
【００１４】
以上の墓石１０はその全体がブースＢ内に収容される。この実施例においては、ブースＢは背板３の上下に天板２と基台１が突設され、これらの間に固定パネルと扉が配さた構成とされる。図中符号４、４は上記の固定パネルであり、スモーク処理またはフロスト処理を施した半透光性を有する素材で構成された断面弧状の左右一対のものがブースＢの正面箇所の両袖部分に配される。同じく５、５は扉であり、やはりスモーク処理またはフロスト処理を施した半透光性を有する素材で構成された断面弧状の左右一対のものが、天板２下面と基台１上面のそれぞれに凹設された走行レール溝２Ａ、１Ａ間に走行自在に嵌め込まれ、駆動装置（図示せず）により左右方向に両開きする。なお、以上のブースＢの具体的構成は一例であり、扉を閉じることにより外部から厨子の着脱作業を不可視とするものであれば、これに限られないことは勿論である。
【００１５】
この実施例においてはブースＢ内に照明装置が設けられる。この照明装置は墓石１０の背面に配された多数の光源６からなるものであり、扉５、５の開閉に伴い点滅、光量の変化、配色パターンの変化などの調光制御がなされる。
【００１６】
図６はこの発明の堂内陵墓の全体の制御を司る電気回路のブロック図である。図中符号３０は制御装置であり、操作部３１からの操作指示により各種の制御とそれに伴う自動制御を行う。具体的には厨子の搬送を行う搬送装置の搬送駆動部３２、厨子を墓石に着脱する着脱駆動部３３、ブースの扉の開閉を行う扉開閉駆動部３４、ブース内の照明の調光を行う照明駆動部３５の制御を行う。
【００１７】
操作部３１においては、操作者は所望の厨子の搬送および着脱を指示するが、この実施例においては厨子毎に利用者にＩＤカードＣを交付し、墓参に際してそのＩＤカードＣを操作部のカードリーダーで読み込ませることにより、建物内に収容されている厨子を自動的に搬送して、墓石に嵌め込むようにしている。また、この場合、上記の搬送および嵌め込み作業中は扉は閉止し、嵌め込み作業完了後は扉を開放すると共に、その工程に沿って照明を所定のパターンに調光することを自動制御する。
【００１８】
前記の照明の調光パターンとしては例えば次のようなものが想定できる。
（パターン１）
扉閉止時      照明の光度を低める。
扉開放時      開放に従い照明の光度を徐々に高める。
（パターン２）
扉閉止時      照明の色彩を寒色とする。
扉開放時      開放に従い照明の色彩を徐々に暖色に変化させる。
（パターン３）
【図面の簡単な説明】
【００１９】
【図１】この発明の陵墓の扉を開いた状態の斜視図。
【図２】同上、扉を閉じた状態の斜視図。
【図３】同上、厨子を嵌め込む過程を示す一部切り欠き側面図。
【図４】同上、厨子を嵌め込んだ状態を示す一部切り欠き側面図。
【図５】同上、厨子を嵌め込んだ状態を示す横断面図。
【図６】この発明の堂内陵墓の全体の制御を司る電気回路のブロック図。
【符号の説明】
【００２０】
Ｂ        ブース
５        扉
１０      墓石
１１      窓部
２０      厨子
２１      銘板部分
【図１】
2010138596.tif 000003
【図２】
2010138596.tif 000004
【図３】
2010138596.tif 000005
【図４】
2010138596.tif 000006
【図５】
2010138596.tif 000007
【図６】
2010138596.tif 000008